【手続補正書】
【提出日】令和1年12月18日(2019.12.18)
【手続補正１】
【補正対象書類名】特許請求の範囲
【補正対象項目名】全文
【補正方法】変更
【補正の内容】
【特許請求の範囲】
【請求項１】
電子写真機器における中間転写ベルトに用いられる筒状の無端ベルトであって
筒状に形成されたポリアミドイミド製の基層を有しており、
ベルト幅方向の少なくとも一方のベルト端縁に、ベルト幅方向外方に向かって先細に形成されたエッジ部を有しており、
上記エッジ部は、
ベルト外周面からベルト内周面寄りに傾斜する外側傾斜面とベルト内周面とが交わっており、当該外側傾斜面と当該ベルト内周面のなす角θ１が鋭角である第１エッジ部より構成されている、または、
ベルト内周面からベルト外周面寄りに傾斜する内側傾斜面とベルト外周面とが交わっており、当該内側傾斜面と当該ベルト外周面のなす角θ２が鋭角である第２エッジ部より構成されている、または、
上記外側傾斜面と上記内側傾斜面とが交わっており、当該外側傾斜面と当該内側傾斜面のなす角θ３を１／２倍したθ３／２が鋭角である第３エッジ部より構成されており、
上記θ１、上記θ２、および、上記θ３／２は、いずれも、５６°以上７５°以下である、無端ベルト。
【請求項２】
上記エッジ部が第１エッジ部より構成されている場合、上記ベルト外周面の上記外側傾斜面寄りの部分に、
上記エッジ部が第２エッジ部より構成されている場合、上記ベルト内周面の上記内側傾斜面寄りの部分に、
上記エッジ部が第３エッジ部より構成されている場合、上記ベルト外周面の上記外側傾斜面寄りの部分、および、上記ベルト内周面の上記内側傾斜面寄りの部分の少なくとも一方に、
ベルト材料が熱によって材質変化してなる熱影響部を有しており、
上記熱影響部の幅が、いずれも１００μｍ以下である、請求項１に記載の無端ベルト。
【手続補正２】
【補正対象書類名】明細書
【補正対象項目名】発明の名称
【補正方法】変更
【補正の内容】
【発明の名称】無端ベルト
【手続補正３】
【補正対象書類名】明細書
【補正対象項目名】０００８
【補正方法】変更
【補正の内容】
【０００８】
本発明の一態様は、電子写真機器における中間転写ベルトに用いられる筒状の無端ベルトであって
筒状に形成されたポリアミドイミド製の基層を有しており、
ベルト幅方向の少なくとも一方のベルト端縁に、ベルト幅方向外方に向かって先細に形成されたエッジ部を有しており、
上記エッジ部は、
ベルト外周面からベルト内周面寄りに傾斜する外側傾斜面とベルト内周面とが交わっており、当該外側傾斜面と当該ベルト内周面のなす角θ１が鋭角である第１エッジ部より構成されている、または、
ベルト内周面からベルト外周面寄りに傾斜する内側傾斜面とベルト外周面とが交わっており、当該内側傾斜面と当該ベルト外周面のなす角θ２が鋭角である第２エッジ部より構成されている、または、
上記外側傾斜面と上記内側傾斜面とが交わっており、当該外側傾斜面と当該内側傾斜面のなす角θ３を１／２倍したθ３／２が鋭角である第３エッジ部より構成されており、
上記θ１、上記θ２、および、上記θ３／２は、いずれも、５６°以上７５°以下である、無端ベルトにある。
【手続補正４】
【補正対象書類名】明細書
【補正対象項目名】０００９
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１５
【補正方法】変更
【補正の内容】
【００１５】
上記無端ベルトは、具体的には、例えば、中間転写ベルトとして用いられる。なお、中間転写ベルトは、潜像担持体に担持されたトナー像をベルト表面に一次転写させた後、このトナー像をベルト表面から紙等の印字媒体へ二次転写させるために、画像形成装置に組み込まれる無端ベルトである。上記構成によれば、回転耐久性能が向上された中間転写ベルトが得られる。
【手続補正７】
【補正対象書類名】明細書
【補正対象項目名】００１９
【補正方法】変更
【補正の内容】
【００１９】
上記無端ベルトにおいて、上記θ１、上記θ２、および、上記θ３／２は、いずれも、５６°以上７５°以下とされる。この構成によれば、第１エッジ部、第２エッジ部、第３エッジ部をフランジ部材に線状に接触させやすくなる上、フランジ部との長期接触による第１エッジ部、第２エッジ部、第３エッジ部の座屈も発生し難くなる。そのため、上記構成によれば、回転耐久性能の向上をより確実なものとすることが可能な無端ベルトが得られる。
【手続補正８】
【補正対象書類名】明細書
【補正対象項目名】００２０
【補正方法】変更
【補正の内容】
【００２０】
上記θ１、上記θ２、上記θ３／２は、第１エッジ部、第２エッジ部、第３エッジ部の耐座屈性の向上による回転耐久性能の向上などの観点から、５６°以上とされる。また、上記θ１、上記θ２、上記θ３／２は、第１エッジ部、第２エッジ部、第３エッジ部のフランジ部材との接触面積をより小さくし、長期にわたってフランジ部と線状に接触させやすくなるなどの観点から、７５°以下とされる。
【手続補正９】
【補正対象書類名】明細書
【補正対象項目名】００２７
【補正方法】変更
【補正の内容】
【００２７】
次に、上記無端ベルトの製造方法について説明する。上記無端ベルトは、筒状のベルト体におけるベルト幅方向の少なくとも一方のベルト端縁を、ベルト外周面側およびベルト内周面側の少なくとも一方側から炭酸ガスレーザーで裁断することにより形成することができる。以下、これについて説明する。
【手続補正１０】
【補正対象書類名】明細書
【補正対象項目名】００３４
【補正方法】変更
【補正の内容】
【００３４】
本例では、具体的には、エッジ部２は、ベルト外周面ＯＳにおけるベルト幅方向外方の端部からベルト内周面ＩＳ寄りに傾斜する外側傾斜面ＯＴとベルト内周面ＩＳとが交わっており、当該外側傾斜面ＯＴと当該ベルト内周面ＩＳのなす角θ１が鋭角である第１エッジ部２１より構成されている。θ１は、５６°以上７５°以下の範囲内とされている。なお、ベルトの厚みは、例えば、３０μｍ以上３００μｍ以下の範囲内とすることができる。
【手続補正１１】
【補正対象書類名】明細書
【補正対象項目名】００４２
【補正方法】変更
【補正の内容】
【００４２】
本例では、具体的には、エッジ部２は、ベルト内周面ＩＳにおけるベルト幅方向外方の端部からベルト外周面ＯＳ寄りに傾斜する内側傾斜面ＩＴとベルト外周面ＯＳとが交わっており、当該内側傾斜面ＩＴと当該ベルト外周面ＯＳのなす角θ２が鋭角である第２エッジ部２２より構成されている。θ２は、５６°以上７５°以下の範囲内とされている。なお、ベルトの厚みは、例えば、３０μｍ以上３００μｍ以下の範囲内とすることができる。その他の構成は、実施例１と同様である。
【手続補正１２】
【補正対象書類名】明細書
【補正対象項目名】００４５
【補正方法】変更
【補正の内容】
【００４５】
本例では、具体的には、エッジ部２は、外側傾斜面ＯＴと内側傾斜面ＩＴとが交わっており、当該外側傾斜面ＯＴと当該内側傾斜面ＩＴのなす角θ３を１／２倍したθ３／２が鋭角である第３エッジ部２３より構成されている。θ３／２は、５６°以上７５°以下の範囲内とされている。なお、ベルトの厚みは、例えば、３０μｍ以上３００μｍ以下の範囲内とすることができる。その他の構成は、実施例１と同様である。
【手続補正１３】
【補正対象書類名】明細書
【補正対象項目名】００５９
【補正方法】変更
【補正の内容】
【００５９】
＜熱影響部の幅Ｗの測定＞
レーザー顕微鏡（キーエンス社製、「ＫＥＹＥＮＣＥ  ＶＫ−Ｘ１００」）を用い、上述した方法により、熱影響部の幅Ｗを測定した。なお、熱影響部の幅Ｗは、ベルト外周面側から観察される観察像におけるベルト外周面と外側傾斜面との交わり部分から、ベルト幅方向内方に向かってベルト外周面が変色している部分までの距離を測定することにより求めた。この際、測定倍率は、１００００倍、測定ピッチは、０．１０μｍとした。